(57)【特許請求の範囲】
【請求項１】
導電性の糸で編んだ帯状体の遮蔽テープであって、
編目の格子の並びが長手方向に対して斜め方向になるよう配置された編目構造を備え、
各々の前記格子が引張方向に変形することにより伸縮性を発現せしめ、
少なくとも前記導電性の糸が複数本連続して並ぶ前記導電性の糸に対して交差しない形でそれ以外の導電性の糸に交差して編まれていることを特徴とする遮蔽テープ。
【請求項２】
電纜に用いられる前記遮蔽テープであって、
前記電纜を被覆した状態で、各々の前記格子が前記電纜の曲げによる引張りに対して変形することにより伸縮性を発現せしめたことを特徴とする請求項１に記載の遮蔽テープ。
【請求項３】
前記導電性の糸が二本飛ばし又は三本飛ばしで前記それ以外の導電性の糸に交差して編まれたものであることを特徴とする請求項１又は２に記載の遮蔽テープ。
【請求項４】
前記導電性の糸は、銅線と、化学繊維、例えば、ポリエステル、テトロン、レーヨン、ナイロン、塩化ビニール、アクリル、ポリエチレン、ポリウレタンのいずれかとの組み合わせからなる請求項１ないし３のいずれか１項に記載の遮蔽テープ。
【請求項５】
ポリエチレンテレフタレート、プラスチックフィルム、ポリエチレン、ポリプロピレン、ポリフェニレンサルファイド、ポリエチレンナフタレート、フッ素樹脂のいずれかからできたテープ、それらにアルミ箔をラミネート若しくは蒸着したテープ、又は不織布を、前記帯状体の両端部に接着することにより片面を被覆して、幅が固定されることを特徴とする請求項１ないし４のいずれか１項に記載の遮蔽テープ。
【請求項６】
前記長手方向に前記帯状体を貫くように補強糸を配したことを特徴とする請求項１ないし４のいずれか１項に記載の遮蔽テープ。
【請求項７】
請求項１ないし6のいずれかの遮蔽テープを用いた電纜。
【発明の詳細な説明】
【技術分野】
【０００１】
本発明は、可撓性、耐屈曲性、遮蔽性に優れた遮蔽テープ、特に電纜用として最適な遮蔽テープ及びこれを用いた電纜に関する。
【背景技術】
【０００２】
従来、電纜に遮蔽を施す方法としては、軟銅細線や錫めっき軟銅細線に編組を施す方法がある。編組とは、いわば組み紐の技術を利用したもので、図１２に示すように、芯線となる軟銅絶縁線や錫めっき軟銅絶縁線の上に銅線をクロスして編み上げるように被せる方法である。適度に柔軟性と機械的強度を有するため、利用度は高い。
【０００３】
編組機は、ワイヤが予め数本ずつ合糸された状態で小巻されたボビンを複数具備している。これら各ボビンは、面盤上に形成された走行溝に沿って走行可能に設けられたキャリアにセットされている。そして、キャリアの走行に伴って、各ボビンがお互いに交差しながら面盤上を８の字状に公転していくことによって、ワイヤが編組されていく。しかし、このような編組による方法は、電纜心線の外周囲に軟銅細線等を編組しながら遮蔽層を形成して製造しなければならず、製造工程が複雑で時間がかかり、生産効率が悪いという欠点がある。また、接地の際、端末のほつれが厄介であることから、端末処理に手がかかるという問題もある。さらに、被覆率が大きくなると硬くなり、柔軟性を損なう難点も有している。
【０００４】
編組以外には、アルミや銅等の金属テープで縦添えや横巻きを施したりする方法がある。横巻き遮蔽電纜は金属テープを斜めに整列に巻きつけたものである。編組遮蔽電纜より端末加工の容易性に優れ、柔軟性も確保でき、コストが低い。しかし、金属箔をフィルムに貼り合わせたテープは屈曲によりすぐに破損するという欠点がある。また、別の方法として、導電性プラスチック遮蔽という方法がある。これは、半導体である導電性プラスチックの押出チューブと銅線の添え線を組み合わせたもので、コストが低いものの、遮蔽材料の導電性が低いため、電気的な遮蔽効果は極端に低下する。
【０００５】
これらの欠点を改善するものとして、軟銅細線や錫めっき軟銅細線を用いて縦糸と横糸に所定の幅で交互に編み込んでテープ状にした遮蔽テープが知られており、このテープを縦添えか横巻きにして遮蔽層を形成する。安価で軽量、１００％の被覆率、端末加工が容易という利点があるが、図１３に示すように、横糸に細かいピッチで繰り返し編み込みを行っている為、被覆した電纜全体の柔軟性や繰り返し曲げに弱いという欠点がある。
【０００６】
遮蔽テープに関して、発明や考案としていくつか提案されている。特許文献１に係る発明は、屈曲、捻回性能を低下させることなく断線発生を低減できる機械的特性が改善されたテープ状導電体及びこのテープ状導体を用いた電纜ハーネスを提案している。このテープ状導電体は、複数本の導電体素線を並列に並べて縦糸とし、プラスチックの繊維糸を横糸として平織したものである。また、特許文献２に係る発明は、スズメッキ銅線を円筒状に平編みしたものを平らに潰したメッシュテープが、シリコーン系のタック性を有する基材に埋設されているものでその一部が基材の表裏面に露出しているものである。メッシュテープは上記のように露出しているので、この遮蔽テープを電線等に巻き付けると巻き付けられた各層のメッシュテープが直接導通し、良好な電磁波遮蔽性が得られるとしている。
【先行技術文献】
【特許文献】
【０００７】
【特許文献１】特開２００６−１９６２３２号公報
【特許文献２】特開２００７−１５２８７１号公報
【発明の概要】
【発明が解決しようとする課題】
【０００８】
しかしながら、特許文献１に係る遮蔽テープは、平織りであるがために、遮蔽テープの欠点である柔軟性の問題を完全に解決することができるわけではない。特許文献２に係る遮蔽テープは、平編みであることから、遮蔽テープの欠点である柔軟性の問題は解決できるものの、切れやすく機械的強度に問題を残す。
【０００９】
本発明は、上記問題に鑑みなされたもので、その目的は、生産効率が高く、しかも可撓性、耐屈曲性、遮蔽性に優れた遮蔽テープならびにこれを巻きつけた電纜を提供することである。
【課題を解決するための手段】
【００１０】
本発明に係る遮蔽テープは、導電性の糸で編んだ帯状体の遮蔽テープであって、編目の格子の並びが長手方向に対して斜め方向になるよう配置された編目構造を備え、各々の格子が引張方向に変形することにより伸縮性を発現せしめたことを特徴とする。ここで、導電性とは電気を通すという意味で、導電性の糸とは電気を流すことができる糸という意味で、繊維が長く線状に連続した天然繊維や人工繊維の糸のみならず、銅毛線や銅糸のような金属製のものも含む。なお、電纜に用いられる遮蔽テープであって、電纜を被覆した状態で、各々の格子が電纜の曲げによる引張りに対して変形することにより伸縮性を発現せしめたものであると好適である。
【００１１】
また、導電性の糸が複数本連続して並ぶ糸に対して交差しない形でそれ以外の糸に交差して編まれたものとすれば、より伸縮性を増す。なお導電性の糸が二本飛ばし又は三本飛ばしで前記それ以外の糸に交差して編まれたものであると好適である。
【００１２】
導電性糸は、銅線と、化学繊維、例えば、ポリエステル、テトロン、レーヨン、ナイロン、塩化ビニール、アクリル、ポリエチレン、ポリウレタンのいずれかとの組み合わせからなるものとしてもよい。
【００１３】
さらに、ポリエチレンテレフタレート（ＰＥＴ）、プラスチックフィルム、ポリエチレン、ポリプロピレン、ポリフェニレンサルファイド、ポリエチレンナフタレート、フッ素樹脂等からできたテープや、それらにアルミ箔等の金属をラミネート若しくは蒸着したテープ、又は不織布のいずれかを、帯状体の両端に接着することにより片面を被覆して、幅を固定するとよい。また別の方法として、帯状体を貫くように補強糸を配することにより、幅を固定してもよい。
【００１４】
また、本発明に係る電纜は、上述したいずれかの遮蔽テープを巻きつけたものであることを特徴とする。
【発明の効果】
【００１５】
本考案の遮蔽テープによれば、機械的強度及び可撓性、耐屈曲性、遮蔽性に優れた効果があるとともに、電纜に容易に巻きつけることができ、生産効率が高く低コストの製品が提供できるという効果がある。電磁波遮蔽効果によって、電纜が電力線の場合には電力線から発せられる電磁波が他の電子機器等に影響を与えることを防ぐことができ、電纜が通信線の場合には外部からの電磁波の影響によって通信データを示す通信信号が攪乱されるのを防止することができる。
【図面の簡単な説明】
【００１６】
【図１】本発明の実施例１に係る遮蔽テープ１０の一例を示す図である。
【図２】図１のＡ部分を拡大した、主糸１３を示す図である。
【図３】本発明の変形形態による遮蔽テープ２０の一例を示す図である。
【図４】テープ状となるように改造した製紐機１での遮蔽テープ１０の作製状況の概要を示す斜視図である。
【図５】製紐機１とは別の製紐機２での遮蔽テープ２０の作製状況の概要を示す斜視図である。
【図６】遮蔽テープ１０にアルミ箔をラミネートしたＰＥＴテープ１０１を被覆した遮蔽テープ１０’を示す図である。
【図７】遮蔽テープ１０の幅方向の両端に補強糸１０３を通した遮蔽テープ１０’’を示す図である。
【図８】本発明に係る電纜１００の構造を示す図であるとともに、遮蔽テープ１０の使用方法を示す図である。
【図９】本発明の実施例１に係る遮蔽テープ２０を巻いた電纜２００の屈曲試験の様子を示す図である。
【図１０】本発明の実施例１に係る遮蔽テープ２０を巻いた電纜２００と従来の編組遮蔽電纜Ｘとの受信電力の測定方法を示す図である。
【図１１】図１０の測定方法によるグラフを示す図である。
【図１２】従来技術に係る電纜Ｘの構造を示す側面図である。
【図１３】従来の遮蔽テープ５０の編成手段を模式的に示す図である。
【発明を実施するための形態】
【００１７】
以下、本発明の実施例を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施例に限られるものではない。
【００１８】
ここで、複数の実施例を説明する前に、本発明の着眼点を示す。
まず、遮蔽テープを編組手段により製造する場合、製紐機又は編組機によって組み上げられる。通常、芯材を通過させる中心穴を有する円盤面に、中心穴を囲繞する８の字状の軌道が形成されていて、複数のキャリアに設けられた各ボビンから繰り出される主糸を上方の編み口へ繰り出されて芯材の外周に編組される。本発明においては、帯状のテープとして作製するために、糸出し機構のキャリアが走行する連続した８の字状の軌道の一部を不連続とし、両端部を形成させる。この編組手段により作製された遮蔽テープは、各糸が長手方向に斜交しているため、長さ方向の伸縮性に優れ、遮蔽テープを電纜に巻きつけたときに、電纜の柔軟性を確保できると考えたのである。
本発明の大きな特徴は、導電性糸条を長手方向に斜めに走らせて、組目又は編目が格子状に配置して帯状体を形成するのであるが、組上げ又は編成された該帯状体が、柔軟性を有し、組目又は編目の形が長手方向への変形によって伸縮性を発現させるところにある。以下、実施例において、詳細に説明する。
【実施例１】
【００１９】
実施例１を図面を参照して詳細に説明する。
【００２０】
図１、２を参照する。図１は、本発明の実施例１に係る遮蔽テープ１０の一例を示す図で、図２は、図１のＡ部分を拡大した、主糸１３を示す図である。図１に示すとおり、遮蔽テープ１０は、長手方向に複数の主糸１３が斜めに走り、各主糸１３が互いに交錯して端縁で反転して組み上げられている。このように、遮蔽テープ１０は、各糸１３が長手方向に斜交しているため、幅方向の伸縮性に優れることが理解されるであろう。すなわち、本発明に係る遮蔽テープ１０は、導電性の糸で編んだ帯状体の遮蔽テープであって、編目の格子の並びが長手方向に対して斜め方向になるよう配置された編目構造を備え、各々の格子が引張方向に変形することにより伸縮性を発現せしめたことを特徴とする。    
また、図２に示すとおり、実施例１において、主糸１３は四本の線材１３１、１３２、１３３、１３４で構成され、図４、５で示す製紐機１、２による組上げにおいて、いわゆる「四本持ち」と呼ばれ、四本一束を一糸としている。実施例１においては、四本一束としているが、二本一束あるいは六本一束としてもよい。実施例１において、線材１３１、１３２、１３３、１３４は銅線を使用しているが、銅線と、化学繊維、例えば、ポリエステル、テトロン、レーヨン、ナイロン、塩化ビニール、アクリル、ポリエチレン、ポリウレタン等のいずれかとの組み合わせからなるようにしてもよい。
【００２１】
図３を参照する。図３は、本発明の変形形態による遮蔽テープ２０の一例を示す図である。図３に示すとおり、遮蔽テープ２０は、導電性の糸２３が二本飛ばしでそれ以外の糸２３に交差して編まれたものである。このような交差にすることにより、電纜に巻かれたときに、電纜の曲げにより遮蔽テープ２０の導電性の糸１３が遮蔽テープ１０よりも変形しやすくなり電纜としての自由度が増すため、曲げに対して強靭になる効果があり、好適である。なお、三本飛ばし又はそれ以上の複数本飛ばしでそれ以外の糸に交差して編んでもよい。
【００２２】
図４を参照する。図４は、製紐機１での遮蔽テープ１０の作製状況の概要を示す斜視図である。製紐機１は、円盤面１７の円周に８の字状の軌道１５が連続的に形成されている。一般的な製紐機においては、各ボビンは、軌道をＳの字状に蛇行進行しながら、各ボビンから繰り出される主糸を上方の編み口へ繰り出して芯糸の外周に編組されるが、本発明においては、帯状のテープとして作製するために、一般的な製紐機を改造しており、各ボビン１４ａ、１４ｂ、・・・、１４ｘが走行する連続した８の字状の軌道１５の一部を不連続部１６とし、両端部を形成させる。なお、実施例１においては、２５本のボビン１４を使用するため、いわゆる「２５打」と呼ばれるが、蛇行走行するボビン１４ａ、１４ｂ、・・・、１４ｘの２４本と、芯糸１２を繰り出し固定された一本のボビン１４ｙとからなる。なお、「２５打」に限定されることはなく、「１３打」、「１７打」、「６５打」等により遮蔽テープ１０を作製してもよいし、偶数の「２４打」や「１６打」で作製してもよい。なお、圧延ローラ１８を使用して、遮蔽テープ１０を圧延すると、厚みや幅を整えることができる。すなわち、本発明に係る遮蔽テープ１０は、編目構造において、各々の格子形状自体は編組で用いられる格子形状であるが、周回方向には編組として周回せずに、当該周回方向の一部において編み方向を反転させることにより反転端を形成せしめた構造とし、帯状体が、編組の周回方向の一部に反転端を設けた構造となっているところに特徴がある。
【００２３】
図５を参照する。図５は、製紐機１とは別の製紐機２での遮蔽テープ２０の作製状況の概要を示す斜視図である。製紐機２は、円盤面２７の円周に８の字状の軌道２５が連続的に形成されている。製紐機１との相違点は、製紐機１では軌道の数が２４個で軌道１５上にボビン１４が１個ずつ配置されて公転するのに対し、製紐機１では軌道の数が１２個で軌道２５上にボビン２４が２個ずつ配置されて２個ペアとなって公転する点である。このように、隣接する２個のボビンが同時に公転することにより、糸２３が２本飛ばしで別の糸２３に交差して編まれる。なお、圧延ローラ２８を使用して、遮蔽テープ２０を圧延すると、厚みや幅を整えることができる。
【００２４】
図６を参照する。図６は、遮蔽テープ１０に、アルミ箔をラミネートしたＰＥＴテープ１０１を被覆した遮蔽テープ１０’を示す図である。上述した製紐機１で組み上げた遮蔽テープ１０は伸縮性に富むことから、電纜に巻きつける際に張力が大きいと遮蔽テープ１０が引き伸ばされ、一旦伸縮すると幅の寸法が長さ方向においてバラつきやすい。そこで、図６（ａ）は、帯状体の両端に接着することにより片面を被覆していることが理解されるであろう。なお、図６（ｂ）に示すように、遮蔽テープ１０の幅端にアルミ箔１０１を接着剤１０２で装着するとよい。なお、被覆に使用される部材はアルミ箔をラミネートしたＰＥＴテープに限らず、ポリエチレンテレフタレート、プラスチックフィルム、ポリエチレン、ポリプロピレン、ポリフェニレンサルファイド、ポリエチレンナフタレート、フッ素樹脂等からできたテープ、不織布のいずれかを、帯状体の両端に接着することにより片面を被覆して、幅を固定してもよい。
【００２５】
図７は、遮蔽テープ１０の幅方向の両端に補強糸１０３を通した遮蔽テープ１０’’を示す図である。遮蔽テープ１０’’は、遮蔽テープ１０の幅の寸法を固定化する別の変形形態である。製紐機１での遮蔽テープ１０の作製状況を図４に示したとおり、各ボビン１４ａ、１４ｂ、・・・、１４ｘは、軌道１５をＳの字状に蛇行進行しながら、各ボビン１４ａ、１４ｂ、・・・、１４ｘから繰り出される主糸３を上方の編み口（図に示していない）へ繰り出して、遮蔽テープ１０は編組される。このとき、各ボビン１４ａ、１４ｂ、・・・、１４ｘとは別のボビン（図示していない）を、例えば、軌道１５において不連続部１６を介して隣接する円形部１５１、１５２の中央に固定し、円形部１５１、１５２の中央から上方に向けて、主糸１３とは別の補強糸１０３を送給すると、遮蔽テープ１０の両端に補強糸１０３が組み込まれる。なお、補強糸１０３は、軌道１５の任意の円形部から送給することができる。補強糸１０３は、主糸１３よりも太く剛性に優れるものが望ましい。
【００２６】
図８を参照する。図８は、本発明に係る電纜１００の構造を示す図であるとともに、遮蔽テープ１０の使用方法を示す図である。図８（ａ）に示すとおり、遮蔽テープ１０を、包帯を巻きつけるようにして隙間ができないように巻き付けて行くことによって、容易に電纜１００の電磁波遮蔽を行うことができる。なお、図８（ｂ）のようにテーピングするように巻きつけてもよいし、別の方法として、図８（ｃ）のように遮蔽テープ１０を電纜に対して長さ方向にたて添えするように巻きつけるようにしてもよい。遮蔽テープ１０の片面に耐候性接着剤を塗布すれば、屋外の電纜に適用した場合でも、長期間剥がれることなく、電磁波遮蔽性を保つことができる。また、アルミ箔やアルミをフィルムに蒸着したテープを貼り合わせることにより、さらに電磁波遮蔽性や電気遮蔽性を高めることができる。なお、図８（ａ）に示すように、遮蔽テープ１０を施して被覆した後、通常はシースＳと呼ばれる塩化ビニール等樹脂素材でさらに被覆される。
【００２７】
本発明に至るまでに、出願人が開発する遮蔽テープ及びこれを巻いた電纜を試験によって検証してきた。以下、試験結果の中で得た内容を以下に説明する。試験は、電纜２００、すなわち前述した遮蔽テープ２０を用いた電纜の屈曲試験と受信電力の測定試験である。
【００２８】
まず、屈曲試験について説明する。屈曲試験は、電気用品取締法関係法令集ＩＩの別表第一(６)のチ、機械的強度の(ロ)曲げ強度の(ａ)に準じたもので、方法は次のとおりである。電纜２００の完成品から電纜サイズ２５ＡＷＧ×４Ｐ、電纜外径６ｍｍ、長さ２ｍの試料をとり、これを図９に示す屈曲試験装置に片端を固定し、他端には５００ｇの重さのおもりを吊し、装置を毎分約４０回の速さで所定の回数折り曲げた。なお、比較のため、編組遮蔽を装着した電纜Ｘ（密度８５％）も上記の方法で固定し、折り曲げた。詳細は下記に示す。なお、図９は、本発明の実施例１に係る遮蔽テープ２０を用いた電纜２００の屈曲試験の様子を示す図である。図９（ａ）と（ｃ）は原位置の状態を示す図であり、（ｂ）は左に９０°曲げた状態、（ｄ）は右に９０°曲げた状態を示す。
試験年月日：平成２７年５月４日、５日
試験場所：大阪府東大阪市高井田本通り１−２−１１  大栄電線工業（株）内
試験装置：屈曲試験機（ユアサ工機TCDMLH-P150）
（条件）
・屈曲角度：±90°
・曲げ半径(Ｒ)：10mm
・マンドレル間隔：1.1D（D：仕上外径）
・荷重(Ｗ)：500ｇ
・速度：40回／分
・屈曲回数：左右１往復を１回とカウントする
・電纜サイズ：25AWG×4P、電纜外径：6mm
（屈曲試験方法）
図８のように約２ｍの試料を試験装置に取り付け、遮蔽電纜が全断線するまで室温で屈曲試験（ｎ＝２）を行なった。
（結果）
全断線（約１００Ω以上）に達した屈曲往復回数を表１に示す。表１に示すとおり、遮蔽テープ２０が巻かれた電纜２００では、全断線に達した回数が、第１回試験で３９７，２４１回、第２回試験で４２５，９４３回となった。一方、編組遮蔽電纜を装着した電纜Ｘ（密度８５％）では、全断線に達した回数が、第１回試験で２２５，９４３回、第２回試験で１３３，７２８回となった。両者の最小値を比較すると、電纜２００は、電纜Ｘに比較して、全断線に達した回数が３倍となった。
【表１】
0006519420.tif 000002
【００２９】
次に、受信電力の測定について説明する。なお、図１０は、本発明の実施例１に係る遮蔽テープ２０を巻いた電纜２００と従来の編組遮蔽電纜Ｘとの受信電力の測定方法を示す図である。図１１は、表２に基づくグラフを示す図である。
試験年月日：平成２７年８月１３日
測定場所：京都府相楽郡精華町光台3丁目2番地2
社団法人 関西電子工業振興センター  
けいはんな試験センター第９シールド室
（測定方法）   
１．周波数を固定し、吸収クランプＡＣＡを動かす。    
２．周波数を掃引し、吸収クランプＡＣＡを固定する。    
３．吸収クランプＡＣＡを動かし、かつ、周波数を掃引する。
吸収クランプ試験、測定周波数３０ＭＨｚ〜１ＧＨｚ
電纜サイズ：２５ＡＷＧ×４Ｐ、電纜外径：６ｍｍ
※試料…Ｎ型コネクタ、電纜測定最大長：６ｍ（試料は７ｍ）、電纜外径：２０ｍｍ以内
測定回路（近端）
（結果）
表２及び図１１のグラフに示すとおり、いずれの測定周波数（ＭＨｚ）においても、本発明に係る電纜２００は、従来製品である電纜Ｘに比較して有意であることが理解できるであろう。  
【表２】
0006519420.tif 000003
【００３０】
以上、本発明に係る遮蔽テープ及びこれを用いた電纜における好ましい実施形態を図示して説明してきたが、本発明の技術的範囲を逸脱することなく種々の変更が可能であることは理解されるであろう。
【産業上の利用可能性】
【００３１】
本発明に係る遮蔽テープは、機械的強度ならびに可撓性に優れ、軽量であるので、通信電纜や配線束等の電磁波障害の防止に使用することができる。また、本発明に係る遮蔽テープを巻きつけた電纜は、オーディオから高周波まで広く利用することができる。
【符号の説明】
【００３２】
１０  １０’  １０’’  ２０  遮蔽テープ
１００  ２００  電纜
１  ２  製紐機
１３  ２３  主糸
１３１  １３２  １３３  １３４  線材
１２  ２２  芯糸
１４  ２４  ボビン
１５  ２５  軌道
１６  ２６  不連続部
１７  ２７  円盤面
１０１  アルミ箔をラミネートしたＰＥＴテープ
１０３  補強糸
Ｗ  電纜
Ｓ  シース
Ｍ  マンドレル
Ｘ  編組電纜
Ｙ  編組遮蔽電纜
ＳＡ  スペクトラムアナライザ
ＳＧ  セーフガード
ＡＴＴ  減衰器
ＩＭＤ  インピーダンス整合器
ＡＣＡ  吸収クランプ
ＡＡＣ  補助クランプ
Ｃ  試料
ＦＢ  フェライトビーズ
【図１】
0006519420.tif 000004
【図２】
0006519420.tif 000005
【図３】
0006519420.tif 000006
【図４】
0006519420.tif 000007
【図５】
0006519420.tif 000008
【図６】
0006519420.tif 000009
【図７】
0006519420.tif 000010
【図８】
0006519420.tif 000011
【図９】
0006519420.tif 000012
【図１０】
0006519420.tif 000013
【図１１】
0006519420.tif 000014
【図１２】
0006519420.tif 000015
【図１３】
0006519420.tif 000016